(57)【要約】      （修正有）【課題】有効的に食物、野菜、果物の切削および搾汁を行うことができるジューサーの切削部分の隙間の調整構造を提供する。【解決手段】下から上に順番に結合される台座、下蓋、切削部、上蓋５によって構成する。上蓋５を下蓋上方に嵌合する時、上蓋５を下向きに圧迫し、板体は嵌合管５５の底面によって押さえつけられ、嵌合管５５を固定管に相対して上向きに移動させ、上蓋５と下蓋を結合し、数分間放置した後、粘着剤によって固定管および嵌合管５５を固定することができる。板体を取り除いた後、嵌合管５５の底面とカッタープレート４３上方には板体の厚さ分の隙間が形成される。上述の組立て順序によって、投入管底面の研磨層５５１とカッタープレート４３の研磨歯４５１間の隙間を固定することができ、食物、果物、野菜を有効的に細かい粒に切削し、搾汁を行うことができる。【選択図】図４
0003106124.tif 000002
【実用新案登録請求の範囲】
【請求項１】
ジューサーの切削部分の隙間の調整構造であり、下から上に順番に結合される台座、下蓋、切削部、上蓋から構成されており、
前記上蓋の下方には投入管が設けられており、その上下に貫通された投入孔には押し込み棒が設けられており、
前記切削部上方にはカッタープレートが設けられており、
前記下蓋内部には収容空間が設けられており、切削部が収容されており、
前記台座内部にはモーターが設けられており、前記モーターの上端には切削部が結合されており、モーターと同時に回転し、
その特徴として、
前記投入管はお互いに嵌着される固定管と嵌合管によって構成されており、前記固定管の上端と上蓋は結合しており、前記固定管と嵌合管の接触面には接着剤が設けられており、前記嵌合管の底面とカッタープレートの間には取替え可能な板体が設けられており、上蓋を下蓋上方に嵌合する時、嵌合管は固定管に相対して上方に移動し、接着剤によって粘着固定され、板体を取り除いた後、嵌合管の底面とカッタープレートは一定の隙間を保持し、食物、野菜、果物を細かく切削したり、搾汁したりするのに用いられることを特徴とするジューサーの切削部分の隙間の調整構造。
【請求項２】
さらに粕容器を含み、前記切削部はさらにフィルターおよびジュースが漏れるのを防ぐことができる切削部台座を含み、前記カッタープレートの上面には同心である内側切削層と外側研磨層が設けられており、前記投入管の嵌合管底面には研磨層が設けられており、果物や野菜の切削および研磨が行われることを特徴とする請求項１に記載のジューサーの切削部分の隙間の調整構造。
【請求項３】
前記固定管には外錘面が設けられており、嵌合管には内錘面が設けられており、お互いに嵌着されており、前記板体は一定の厚みを持つ紙の板であることを特徴とする請求項１に記載のジューサーの切削部分の隙間の調整構造。
【請求項４】
前記投入管の底面は平面であり、カッタープレートの上面には複数のカッターが設けられていることを特徴とする請求項１に記載のジューサーの切削部分の隙間の調整構造。
【請求項５】
前記カッタープレートの上面には複数のカッターを具有する突出部が設けられていることを特徴とする請求項１に記載のジューサーの切削部分の隙間の調整構造。
【考案の詳細な説明】
【技術分野】
【０００１】
本考案はジューサーの切削部分の隙間の調整構造に係り、特に上蓋の下方に伸縮可能な固定管および嵌合管が設けられており、嵌合管の底面とカッタープレートの間には取替え可能な板体が設けられており、上蓋を下蓋の上方に嵌合する時、嵌合管は固定管に相対して上方向に移動し、固定され、嵌合管の底面とカッタープレートとカッタープレートに一定の隙間を保持させる構造であり、切削搾汁機能を具有する食品調理装置に適用される構造に関わる。
【背景技術】
【０００２】
図８は公知構造による食物、果物、野菜調理器の断面図であり、前記調理器の上蓋の下方には投入管が設けられており、その底面には研磨歯が設けられており、前記投入管の下方にはカッタープレートが設けられており、前記カッタープレートの上面には内側カッター層が設けられており、前記内側カッター層の外縁には研磨層が設けられており、上述の投入管の内部には上下に貫通している投入孔が設けられており、食物、果物、野菜は投入孔の上端から投入された後、カッタープレート上の内側カッター層によって素早く切削され、さらに投入管底面の研磨歯とカッタープレートの研磨層によって、搾汁が行われるものであり、この種の方式によって切削および研磨効果を達成するものであり、前記構造は普遍的に一般食物、果物、野菜の調理器上に応用されている。
【０００３】
上述の調理器は優れた効果を生成することができるものであり、主要技術の重点は、投入管の底面とカッタープレート上方に形成された隙間の制御にあり、前記隙間が大きすぎる時、切削研磨後の果肉粒が大きくなってしまい、食物、果物、野菜の栄養素を完全に取り出すことが出来ず、仮に隙間が小さすぎる場合、投入管底面の研磨歯とカッタープレート上の研磨層が容易に摩損しすぎることになり、投入物によって詰まってしまい、モーターの破損をもたらしてしまう現象が発生してしまい、その他、隙間が小さすぎる場合、カッタープレートの元々の変形や調理器の製造における人為的な組立てミスにより、カッタープレート上の内側カッター層が投入管の底面まで切削してしまい、傷をつけてしまう状況が発生してしまう。
【０００４】
このために、投入管の底面とカッタープレート上方の隙間は一定の距離を保持する必要があり、それにより調理器はその機能を確実に発揮することができるが、大量製造および組立ての過程において、公知構造の調理器の構造は前述の原因によって、一定の隙間を確保する上で大きな不確定性を具有しており、製品の品質管理上、その難度を高めている。
【０００５】
以上のことから、上述の欠点を解決するために、ジューサーの切削部分の隙間の調整構造において、嵌合管の底面とカッタープレートに一定の隙間を保持させるだけでなく、ジューサーの組立て後の品質安定を確保するために、本考案の考案者は長年に渡る経験とたゆまぬ研究開発による改良によって、本考案を考案した。
【考案の開示】
【考案が解決しようとする課題】
【０００６】
本考案の目的は、設けられている上蓋下方に伸縮可能な嵌合管構造が設けられており、上蓋を下蓋の上方に嵌合する時、一定の厚さを具有する板体によって制御され、嵌合管構造が相対的に固定された長さに圧縮され、嵌合管の底面とカッタープレートに一定の隙間を保持させ、有効的に食物、野菜、果物の切削および搾汁を行うことができるジューサーの切削部分の隙間の調整構造を提供することである。
【０００７】
本考案の次の目的は、一定の厚さを具有する板体による制御により、嵌合管構造の調整を固定された長さにし、それによりジューサーの製造および人員による組立て過程における誤差を克服し、ジューサーの組立て後の品質安定を確保することができるジューサーの切削部分の隙間の調整構造を提供することである。
【課題を解決するための手段】
【０００８】
上述の目的を達成するために、本考案によるジューサーの切削部分の隙間の調整構造は、下から上に順番に結合される台座、下蓋、切削部、上蓋から構成されており、前記上蓋の下方には投入管が設けられており、その上下に貫通された投入孔には押し込み棒が設けられており、前記切削部上方にはカッタープレートが設けられており、前記下蓋内部には収容空間が設けられており、切削部が収容されており、前記台座内部にはモーターが設けられており、前記モーターの上端には切削部が結合されており、モーターと同時に回転し、その特徴として、前記投入管はお互いに嵌着される固定管と嵌合管によって構成されており、前記固定管の上端と上蓋は結合しており、前記固定管と嵌合管の接触面には接着剤が設けられており、前記嵌合管の底面とカッタープレートの間には取替え可能な板体が設けられており、上蓋を下蓋上方に嵌合する時、嵌合管は固定管に相対して上方に移動し、接着剤によって粘着固定され、板体を取り除いた後、嵌合管の底面とカッタープレートは一定の隙間を保持し、食物、野菜、果物を細かく切削したり、搾汁したりするのに用いられ、大量に組立てる時、それぞれのジューサーに安定的な切削品質を確保させることができる。
【考案の効果】
【０００９】
本考案において設けられている投入管は一定の厚さを具有する板体によって制限され、投入管を一定の長さに圧縮し、板体を取り除いた後、嵌合管の底面とカッタープレートに一定の隙間を保持させ、それにより有効的に食物、果物、野菜の切削を行うことができた。
【００１０】
本考案の一定の隙間を調整することができる構造により、ジューサーの製造、組立ての過程における誤差の発生を克服することができ、ジューサーを大量に生産する時、隙間を調整する時間を更に短縮させることができ、ジューサー組立て後の品質安定を確保することができた。
【考案を実施するための最良の形態】
【００１１】
図１，２は本考案におけるジューサーの切削部分の隙間の調整構造１の比較的好適な実施例であり、下から上に順番に結合される台座２、下蓋３、切削部４、上蓋５によって構成されている。
【００１２】
前記上蓋５下方には投入管５１が設けられており、その上下に貫通した投入孔５２には押し込み棒５３が設けられており、前記投入管５１はお互いに嵌着される固定管５４および嵌合管５５によって構成されており、前記固定管５４は中空の円形管であり、その外縁は外錘面５４１を形成しており、前記固定間５４上端と上蓋５の底面は一体に結合されている。前記嵌合管５５は上が小さく、下が大きい階段状を呈する（円柱形でもよい）中空管であり、その底面には研磨層５５１が設けられており、嵌合管５５中空部分には内錘面５５２が設けられており、固定管５４の外錘面５４１とお互いに合わさっている。上述の固定管５４および嵌合管５５を嵌着する時、その外錘面５４１と内錘面５５２の接触面は粘着剤が均一に塗布されている。
【００１３】
前記切削部４はろ過を行うフィルター４１、ジュースが漏れるのを防ぐことができる切削部台座４２、カッタープレート４３によって構成されており、前記カッタープレート上面には同心である内側切削層４４と外側研磨層４５が設けられており、前記内側切削層４４は複数の放射状に並ぶカッター４４１によって構成されており、外側研磨層４５は複数の研磨歯４５１を具有している。
【００１４】
前記下蓋３内部には収容空間３１が設けられており、台座２内部にはモーター２１が設けられており、前記モーター２１の上端には結合部２２が設けられており、上向きに切削部４と結合しており、さらに前記切削部４は下蓋３の収容空間３１内に収容されている。
【００１５】
図２，３，４に示すように、本考案を組立てる時、台座２、下蓋３、切削部４を先に組立て、投入管５１の固定管５４および嵌合管５５はすでに嵌合されているが、まだ固定されてなく、緩んだ状態で、この時の暫定的に嵌着した時の長さh１は上蓋５の底面からカッタープレート４３上方までの距離h２よりも大きい。上蓋５を下蓋３の上方に嵌合させる前に、本考案においてはカッタープレート４３の上方に一定の厚さを具有する板体７（紙製の板、またはプラスチック片、或いはゲージブロック）が設置される。
【００１６】
上蓋５を下蓋３上方に嵌合する時、上蓋５を下向きに圧迫し、板体７は嵌合管５５の底面によって押さえつけられ、嵌合管５５を固定管５４に相対して上向きに移動させ、上蓋５と下蓋３を結合し、数分間放置した後、粘着剤６によって固定管５４および嵌合管５５を固定することができる。板体７を取り除いた後、嵌合管５５の底面とカッタープレート４３上方には板体７の厚さ分の隙間が形成される。上述の組立て順序によって、投入管５１底面の研磨層５５１とカッタープレート４３の研磨歯４５１間の隙間を固定することができ、食物、果物、野菜を有効的に細かい粒に切削し、搾汁を行うことができ、その果汁を完全に切削した後、ジュース出口８から流出させることができ、絞り粕は粕容器９中に集めることができる（図２に示す）。
【００１７】
図５に示すように、投入管９１の底面が平面であり、カッタープレート９２の上面に複数のカッター９２１が設けられている時、本考案によって投入管９１の底面とカッタープレート９２上面の距離を一定の隙間に調整することができる。
【００１８】
図６に示すように、カッタープレート９３の上面に複数のカッターを具有する突出部９５が設けられている場合においても、本考案は板体９６（図７に示す）によって一定の隙間に調整するという目的を達成することができる。
【００１９】
本考案は以下に示すような優れた点を具有している。
【００２０】
１  本考案において設けられている投入管は一定の厚さを具有する板体によって制限され、投入管を一定の長さに圧縮し、板体を取り除いた後、嵌合管の底面とカッタープレートに一定の隙間を保持させ、それにより有効的に食物、果物、野菜の切削を行うことができる。
２  本考案の一定の隙間を調整することができる構造により、ジューサーの製造、組立ての過程における誤差の発生を克服することができ、ジューサーを大量に生産する時、隙間を調整する時間を更に短縮させることができ、ジューサー組立て後の品質安定を確保することができる。
【００２１】
上述の内容に基づき、本考案は確実に考案の目的を達成できるものであり、嵌合管の底面とカッタープレートに一定の隙間を保持させ、ジューサーの組立て後の品質安定を確保することができるジューサーの切削部分の隙間の調整構造を提供するものであり、極めて高い実用価値を具有し、法に基づき実用新案登録請求を行う。
【図面の簡単な説明】
【００２２】
【図１】本考案の実施例における分解図である。
【図２】本考案の実施例における組立て後の断面図である。
【図３】本考案の実施例における投入管の組立て前の断面図である。
【図４】本考案の実施例における投入管の組立て後の断面図である。
【図５】本考案の実施例における使用状態を示す図である。
【図６】本考案の実施例におけるもう一つの使用状態を示す図である。
【図７】本考案の実施例における板体の立体外観図である。
【図８】公知構造のジューサーの断面図である。
【符号の説明】
【００２３】
ａ      ジューサー
ｂ      上蓋
ｂ１    投入管
ｂ２    研磨歯
ｃ      カッタープレート
ｃ１    内側カッター層
ｃ２    研磨層
ｂ３    投入孔
１      ジューサーの切削部分の隙間の調整構造
２      台座
２１    モーター
２２    結合部
３      下蓋
３１    収容空間
４      切削部
４１    フィルター
４２    切削部台座
４３    カッタープレート
４４    内側切削層
４４１  カッター
４５    外側研磨層
４５１  研磨歯
５      上蓋
５１    投入管
５２    投入孔
５３    押し込み棒
５４    固定管
５４１  外錘面
５５    嵌入管
５５１  研磨層
５５２  内錘面
６      粘着剤
７      板体
８      ジュース出口
９      粕容器
９１    投入管
９２    カッタープレート
９２１  カッター
９３    カッタープレート
９４    カッター
９５    突出部
９６    板体
【図１】
0003106124.tif 000003
【図２】
0003106124.tif 000004
【図３】
0003106124.tif 000005
【図４】
0003106124.tif 000006
【図５】
0003106124.tif 000007
【図６】
0003106124.tif 000008
【図７】
0003106124.tif 000009
【図８】
0003106124.tif 000010